(57)【要約】【課題】主に、フィルムの外周をヒートシールしてなるパウチにおいて、パウチの把持性および開封性を向上するとともに、内容物の識別や開封箇所の認識が可能な、ユニバーサルデザインに基づいたパウチを提供することである。【解決手段】上記課題を解決するため、本発明の請求項１記載の発明は、フィルムの外周をヒートシールしてなるパウチにおいて、該パウチの前記ヒートシール部のシール面に複数の凸部からなるエンボス部を形成したパウチであって、前記凸部は、前記シール面の表裏面に交互に形成されることを特徴とする、パウチである。【選択図】図１
2008254747.tif 000002
【特許請求の範囲】
【請求項１】
フィルムの外周をヒートシールしてなるパウチにおいて、該パウチの前記ヒートシール部のシール面に複数の凸部からなるエンボス部を形成したパウチであって、前記凸部は、前記シール面の表裏面に交互に形成されることを特徴とする、パウチ。
【請求項２】
前記エンボス部の複数の凸部は、互い違いに形成されることを特徴とする、請求項１記載のパウチ。
【請求項３】
前記エンボス部は、前記パウチの左右シールに形成したことを特徴とする、請求項１乃至２記載のパウチ。
【請求項４】
前記エンボス部は、前記パウチの上シール、かつ開封箇所の近傍に形成したことを特徴とする、請求項１乃至３記載のパウチ。
【請求項５】
前記パウチは、該パウチの底部分で自立可能なスタンドパウチであることを特徴とする、請求項１乃至４記載のパウチ。
【発明の詳細な説明】
【技術分野】
【０００１】
本発明は、パウチの把持性および使用性を向上するとともに、内容物の識別が可能なユニバーサルデザインに基づくパウチに関する。
【背景技術】
【０００２】
従来、食品や調味料等の固形や粉末状の内容物や、液体洗剤、シャンプー、リンスなどの詰め替え用の液体を内容物とする包装体（パウチ）が知られている。この種のパウチは、開封時にパウチを把持して、パウチのシール部分を含むフィルムを切除することにより開口を形成することが可能である。そして、使用時にパウチを傾けることにより、パウチの左右何れかの前記開口部から内容物を注ぎ出すことが可能である。そして、パウチの開封時には、片手でパウチの左右シール部分を把持しつつ、他方の手でフィルムの一端をねじることにより、開封箇所のフィルムを切除して、パウチを開封する構成である。
【０００３】
しかしながら、パウチを把持する際やパウチの開封時に、パウチの左右シールを把持する指先が滑りやすく、パウチの開封や注ぎ出しがしづらいという問題があった。
特に、内容物が入った状態のパウチは重量が重いため、直接手でパウチを把持して使用することが困難である。
また、パウチ購入後、内容物をボトル等の別容器へと移し変えて、ボトルの状態で使用することが多く、このため、パウチの内容物をボトルへと移し替える手間等を要する。
【０００４】
他方、浴室や洗面台などの採光が不十分な場所で、パウチを直接使用する場合、洗顔や洗髪中など直接目視が困難な状況では、パウチの内容物を識別することが困難であり、さらには、新品のパウチを開封する場合には、パウチの開封箇所を見つけることが困難であるという問題があった。
【発明の開示】
【発明が解決しようとする課題】
【０００５】
本発明は、このような問題点を解決するためになされたものであり、その課題は、主に、フィルムの外周をヒートシールしてなるパウチにおいて、パウチの把持性や使用性を向上するとともに、内容物や開封箇所の識別性を向上した、ユニバーサルデザインに基づくパウチを提供することである。さらには、パウチを使用する消費者の動向や、パウチをつかむ指先の大きさや形状に対する調査を行ない精査した結果に基づき、誰にでも使いやすいパウチを提供することを目的とする。
【課題を解決するための手段】
【０００６】
そこで、上記課題を解決するため、本発明の請求項１記載の発明は、フィルムの外周をヒートシールしてなるパウチにおいて、該パウチの前記ヒートシール部のシール面に複数の凸部からなるエンボス部を形成したパウチであって、前記凸部は、前記シール面の表裏面に交互に形成されることを特徴とする、パウチである。
【０００７】
また、請求項２記載の発明は、前記エンボス部の複数の凸部は、互い違いに形成されることを特徴とする、パウチである。
【０００８】
また、請求項３記載の発明は、前記エンボス部は、前記パウチの左右シールに形成したことを特徴とする、パウチである。
【０００９】
また、請求項４記載の発明は、前記エンボス部は、前記パウチの上シール、かつ開封箇所の近傍に形成したことを特徴とする、パウチである。
【００１０】
また、請求項５記載の発明は、前記パウチは、該パウチの底部分で自立可能なスタンドパウチであることを特徴とする、パウチである。
【発明の効果】
【００１１】
本発明の請求項１記載の発明は、フィルムの外周をヒートシールしてなるパウチにおいて、該パウチの前記ヒートシール部のシール面に複数の凸部からなるエンボス部を形成したパウチであって、前記凸部は、前記シール面の表裏面に交互に形成されることを特徴とする簡単な構成により、パウチを把持する指先が滑ることを防ぐすべり止めの効果を有する、把持性を向上したパウチを提供することが可能である。
よって、パウチ開封時に、パウチを強固につまみパウチの開封を少ない力で以って容易に行なうことが可能であり、パウチを安定して把持しつつ内容物を注ぎだすことが可能である。さらには、パウチ毎にエンボス部の形状を異ならせることにより、パウチの内容物を識別することが可能な識別性を付与することが可能である。
【００１２】
また、請求項２記載の発明は、前記エンボス部の複数の凸部は、互い違いに形成されることを特徴とするから、パウチの左右シールをつまむ指先が滑ることなく、さらに安定してパウチを把持することが可能である。さらには、左右シールをつまんだ状態でパウチを傾けて内容物を注ぎだしても、左右シールをつまんだ指先が滑ることなく、安定して内容物を注ぎだすことが可能である。
【００１３】
また、請求項３記載の発明は、前記エンボス部は、前記パウチの左右シールに形成したことを特徴とするから、パウチの開封時において、開封箇所のフィルムをつまんだ指先が滑ることなく、開封箇所を強固につまみ、容易にパウチを開封することが可能であり、さらには、パウチの自立性や胴部保型性を向上する効果がある。
【００１４】
また、請求項４記載の発明は、前記エンボス部は、前記パウチの上シール、かつ開封箇所の近傍に形成したことを特徴とするから、パウチ開封時において、上シール部分をつまむ指先が滑ることなく、力を加えてパウチの開封操作をスムースかつ確実に行なうことが可能である。
【００１５】
また、請求項５記載の発明は、前記パウチは、該パウチの底部分で自立可能なスタンドパウチであることを特徴とするから、パウチの把持性や使用性を向上するとともに、スタンドパウチの自立性や胴部保型性をも向上する効果がある。
【発明を実施するための最良の形態】
【００１６】
本発明に係るパウチ１０の一例としては、図１に示すように、フィルムの周囲をヒートシール（上シール１、左シール２、右シール３、底シール４）してなるパウチ１０であって、該パウチ１０の底部分８は、自立可能な舟形形状の底部８を有するスタンドパウチである。そして、該パウチの前記左シール２部分の幅広なシール面２には、複数の凸部７からなる、エンボス部９が形成されており、該エンボス部９の上方には、パウチ１０を開封する際の起点となるノッチ５が形成されている。
【００１７】
前記エンボス部９は、図１（ａ）に示すように、表シール面ａに複数の凸部７が形成されるとともに、該凸部７の直下には、後述する、裏シール面ｂに形成された凸部７'により生じる凹部６'が形成されている。このため、パウチ表側ａのエンボス部９は、凸部７−凹部６'−凸部７−凹部６'が交互に形成され、他方、図１（ｂ）に示すように、パウチ裏側のエンボス部９'は、凹部６−凸部７'−凹部６−凸部７'が交互に形成されている。
【００１８】
そして、このエンボス部９、９'により、後述する、パウチ１０の把持性や使用性を向上する効果のみならず、さらには内容物の識別性を付与することが可能である。特に、前記スタンドパウチ１０の左右シール２，３部分にエンボス部９を形成することにより、シール面の強度がより高まり、スタンドパウチ１０の安定した胴部保型性や自立性を奏することが可能である。
【００１９】
前記パウチ１０はスタンドパウチ１０に限らず、平パウチやガセットパウチなど、フィルムの周囲をヒートシールしてなるシール面を有するパウチ１０であれば、パウチ１０の種類や形態は特に限定されるものではない。
【００２０】
前記エンボス部９は、詳しくは、図２（ａ）に示すように、パウチ１０の左シール部２の表シール面ａに、横長の形状を有する凸部７が複数形成されてなるエンボス部９を形成しており、特に、前記凸部７は、図２（ｂ）に示すように、パウチ１０の側面視において、シール面ａ、ｂの上方から下方へと、表シール面ａに形成される凸部７と、裏シール面ｂに形成される凸部７'とが、複数かつ交互に形成されている。
【００２１】
すなわち、前記１の凸部７は、図３に示すように、表シール面ａに凸部７が形成されるとともに、該凸部７の裏シール面ｂには、前記凸部７を金型により成型する際に生じる窪みからなる凹部６が形成されている。他方、裏シール面ｂの凸部７'の場合、該凸部７'の表シール面ａに凹部６'が形成されている。
【００２２】
よって、表シール面ａに形成される前記エンボス部９は、・・・凸部７−凹部６'−凸部７−凹部６'・・・の凹凸形状が交互に形成されてなるエンボス部９を形成し、他方、裏シール面ｂに形成される前記エンボス部９'は、・・・凸部７'−凹部６−凸部７'−凹部６・・・の凹凸形状が交互に形成されてなるエンボス部９'を形成することとなる。
【００２３】
このように、左シール部分２の表裏シール面ａ、ｂに、それぞれ凹凸形状が複数かつ交互に形成されてなるエンボス部９，９'を形成することが可能である。
【００２４】
よって、パウチ１０を把持した際に、図４に示すように、指先が表裏のシール面ａ、ｂにそれぞれ触れるため、パウチ１０を持つ指先が前記凹凸部分７，６'に入り込み、たとえ内容物の入った重量の重いパウチ１０を片手で把持しても、指先がすべることなくパウチ１０のシール部分を、強固かつ安定して把持することが可能な滑り止め効果を奏することが可能である。
【００２５】
前記エンボス部９の凸部７を形成する方法の一例としては、パウチ１０の外周部分にヒートシールＨを施した直後の、冷却工程において、前記エンボス部９を形成することが可能である。
【００２６】
この場合、図５（ａ）に示すように、フィルムＦの一端にヒートシールＨを施した直後において、エンボス部９を形成するための所望の凹凸形状を有する金型Ａ，Ｂを用いて、エンボス部９を形成することが可能である。
前記金型は、表シール面ａに凸部７を形成するための雄型Ａと雌型Ａ'とからなり、他方、裏シール面ｂに凸部７'を形成するための雄型Ｂと雌型Ｂ'とからなる。
【００２７】
そして、フィルムＦを点線矢印方向へと流すとともに、図５（ｂ）に示すように、ヒートシールＨ部分において、金型Ａ、Ａ'で挟み込む（点線矢印）ことにより、図６（ａ）に示すように、表シール面ａの凸部７を形成した後、さらに、図６（ｂ）に示すように、金型Ｂ、Ｂ'で、前記ヒートシール部Ｈを挟むことにより（点線矢印）、図７（ａ）に示すように、裏シール面ｂの凸部７を形成することが可能である。このようにして、図７（ｂ）に示すように、フィルムＦの表裏シール面ａ、ｂに、前記凸部７を交互に形成することが可能であり、前記凸部７の形成に伴い凹部６を交互に形成することが可能である。
【００２８】
このように、本発明のパウチ１０は、パウチ１０のヒートシール面に、複数の凸部７を交互に形成してなる前記エンボス部９を形成することにより、強力な滑り止め効果を有する把持性および使用性を向上したパウチ１０を提供することが可能である。そして、前記エンボス部９は、表シール面ａの凸部７を形成する金型Ａと、裏シール面ｂの凸部７を形成する金型Ｂとを用いて、簡単に形成することが可能である。
【００２９】
前記エンボス部９の凸部７形状は、上記例の限らず、以下に示すような、多種多彩な凸部７形状であってもよい。そして、パウチ１０の内容物の種類によって、エンボス部の凸部７形状を異ならせることにより、内容物の識別を可能とする識別性を付与することが可能である。
【００３０】
以下に、本発明のパウチ１０の別の例を、いくつかの実施例とともに説明する。
【実施例１】
【００３１】
前記エンボス部９は、図８（ａ）（ｂ）に示すように、表シール面ａの凸部７と、裏シール面ｂの凸部７'とを交互に形成するとともに、表裏シール面ａ、ｂの凸部７，７‘を、互い違いに左右にずらした略ジグザグ形状に形成してもよい。これにより、幅広い範囲において、前記エンボス部を形成することが可能であり、パウチの把持性をさらに向上することが可能である。
【実施例２】
【００３２】
前記エンボス部９は、図９（ａ）（ｂ）に示すように、１の凸部７が、縦長の形状を有してもよく、左シール部２の、表シール面ａの凸部７と、裏シール面ｂの凸部７'とを交互に形成するとともに、表裏シール面ａ、ｂの凸部７，７'を、互い違いに左右にずらしたジグザグ形状に形成してもよい。このように縦長の形状からなる凸部を形成することにより、ヒートシール幅が狭い場合においても、エンボス部９を形成することが可能である。
【実施例３】
【００３３】
前記エンボス部は、図１０に示すように、左シール部２に横長の形状を有する凸部７を表裏シール面ａ、ｂに交互かつジグザグに形成するとともに、右シール部３に縦長の形状を有する凸部７を表裏シール面ａ、ｂに交互に形成してもよい。このように、エンボス部９を左右のシール部２、３にそれぞれ形成してもよく、さらには、エンボス部９の形状を各シール部分２、３によって異ならせても良い。
【００３４】
このように、左右のシール部２、３に、それぞれエンボス部９を形成することにより、図１１に示すように、パウチの左右シール部２，３をそれぞれ把持して内容物を注ぎ出す際にも、パウチ１０を持つ手が滑ることなく、内容物の注ぎだしをスムースかつ確実に行なうことが可能である。
【００３５】
また、左右のシール面２、３に形成した前記エンボス部９は、縦長の形状や横長の形状のみならず、例えば図１２に示すように、半円の形状を有する凸部７や、楕円の形状を有する凸部７であってもよく、凸部７の形状は特に限定されるものではない。
【００３６】
特に、シャンプーとリンスなどの主に対で使用するパウチ１０の場合、前記凸部７の形状を、横形状と縦形状、または、へ形状とＶ形状、などの、パウチの内容物により凸部７形状を分けることにより、パウチ１０のエンボス部９を触った感触のみで、容易にパウチ１０の内容物の識別が可能となる。
【実施例４】
【００３７】
さらに、図１３（ａ）（ｂ）に示すように、前記凸部７の形状が、屈曲部分を有する、略へ字の形状であってもよく、また、パウチの一端部分に注出部Ｔを有するパウチ１０であってもよい。さらには、図１４（ａ）（ｂ）に示すように、前記注出部Ｔの上シール部分１に、略球状の凸部７からなる前記エンボス部９を形成してもよい。
【００３８】
このように、左シール部２にエンボス部９を形成するともに、左シール部に形成された注出部Ｔのシール面１に、それぞれエンボス部９を形成することにより、パウチの開封時、図１５に示すように、一方の手でパウチ１０の左シール部２を把持するとともに、他方の手で注出部Ｔの上シール部１をつかみ、力を加えてフィルムを引き裂いても指先が滑ることなく、パウチ１０の開封をスムースかつ確実に行なうことが可能である。
【００３９】
また、本発明者らは、『日本人の人体計測データ１９９２−１９９４（社）人間生活工学研究センター』に基づき、以下に示すような、成人女性の指先の平均値データを算出した。すなわち、図１６（ａ）に示すように、人差し指の第２指遠位関節幅（手背面で、人さし指の遠位指節関節の幅）Ｗａが、Ｗａ＝１６．４ｍｍであり、図１６（ｂ）に示すように、親指の第１指関節幅（親指の関節の幅）Ｗｂが、Ｗｂ＝１８．５ｍｍである。
【００４０】
そして、使用者がパウチを持つ際には、シール部分のどの箇所を把持しても、使用者の指先が、確実に前記凸部７に触れる箇所へとエンボス部９を形成し、前記凸部７の幅が前記指先の幅Ｗａ、Ｗｂよりも小さいことが望ましい。
【００４１】
このように、使用者の利き手によらず、パウチのエンボス部を設計することにより、誰にでも使いやすいパウチを提供することが可能である。よって、凸部の形状や大きさ、形成箇所は、特に限定されるものではなく、あらゆる使用者に対して使用しやすい構成を適用することが望ましい。
【００４２】
以上のように、本発明のパウチ１０は、該パウチ１０の前記ヒートシール部Ｈのシール面ａ，ｂに形成された複数の凸部７、７'からなるエンボス部９，９'を形成した、パウチ１０であって、前記凸部７は、前記シール面の表裏面ａ、ｂに交互に形成される、簡単な構成により、パウチ１０の把持性や開封性、さらには内容物の識別が可能なパウチ１０を提供することが可能である。さらには、エンボス部９を形成したシール部分の強度が高まり、パウチ１０の胴部形状が安定する効果があり、スタンドパウチにおいては、パウチ１０の自立安定性が向上する効果がある。
【００４３】
前記パウチ１０の前記フィルムＦとしては、主にプラスチックフィルムを主体とする積層フィルムＦが用いられ、例えば、各種食品用パウチに用いられている従来公知の積層フィルムＦを用いることができ、特に限定されるものではない。積層フィルムＦの構成は、内容物の種類や充填後の加圧加熱殺菌時に加えられる加熱条件などによって適宜選定することができる。
【００４４】
また、前記積層フィルムＦの、前記基材層の一例としては、耐熱性の優れた２軸延伸プラスチックフィルムが使用可能できるが、２軸延伸ポリエチレンテレフタレート（ＰＥＴ）を使用するのが好ましい。また、積層フィルムの前記中間層としては、アルミニウム箔（ＡＬ）、２軸延伸ナイロン（ＯＮ）、アルミニウ箔と２軸延伸ナイロンの積層フィルム を使用することができる。そして、積層フィルムの前記熱接着性樹脂層としては、変性ポリプロピレン樹脂（ＰＰ）、高密度ポリエチレン（ＨＤＰＥ）等が使用できるが、エラストマー成分をブレンドしたポリプロピレン樹脂を使用するのが好ましい。前記基材層と前記中間層と前記熱接着性樹脂層はウレタン系接着剤を使用したドライラミネーションにより積層され、積層フィルム構成の一例としては、例えば、ＰＥＴ／ＯＮ／ＡＬ／ＰＰ、ＰＥＴ／ＡＬ／ＯＮ／ＰＰ、ＰＥＴ／ＡＬ／ＰＰ、ＰＥＴ／ＯＮ／ＰＰ等が挙げられる。
【００４５】
本発明のパウチ１０に充填する内容物としては、例えば、詰め替え用のシャンプーやリンス、洗剤などの液体のみならず、粉末状の調味料やインスタントコーヒーなど、パウチ１０のフィルムを切除して内容物を注出するパウチ形態であれば、パウチ１０の形状や種類は特に限定されるものではない。
【図面の簡単な説明】
【００４６】
【図１】本発明のパウチの一例を示す図である。  （ａ）パウチの表面を示す略正面図である。  （ｂ）パウチの裏面を示す略正面図である。
【図２】本発明のパウチを示す図である。  （ａ）パウチの正面図である。  （ｂ）パウチの側面図である。
【図３】本発明のパウチを示す一部切断説明図である。
【図４】本発明のパウチの使用例を示す説明図である。
【図５】（ａ）（ｂ）エンボス部の形成方法の一例を示す説明図である。
【図６】（ａ）（ｂ）エンボス部の形成方法の一例を示す説明図である。
【図７】（ａ）（ｂ）エンボス部の形成方法の一例を示す説明図である。
【図８】パウチの別の例を示す図である。  （ａ）パウチの表面を示す略正面図である。  （ｂ）パウチの裏面を示す略正面図である。
【図９】パウチのさらに別の例を示す図である。  （ａ）パウチの表面を示す略正面図である。  （ｂ）パウチの裏面を示す略正面図である。
【図１０】パウチのさらに別の例を示す図である。
【図１１】本発明のパウチの使用例を示す説明図である。
【図１２】パウチのさらに別の例を示す図である。  （ａ）パウチの表面を示す略正面図である。  （ｂ）パウチの裏面を示す略正面図である。
【図１３】パウチのさらに別の例を示す図である。  （ａ）パウチの表面を示す略正面図である。  （ｂ）パウチの裏面を示す略正面図である。
【図１４】パウチのさらに別の例を示す図である。
【図１５】本発明のパウチの使用例を示す説明図である。
【図１６】指先の形状および大きさを示す説明図である。  （ａ）人差指を示す説明図である。  （ｂ）親指を示す説明図である。
【符号の説明】
【００４７】
１  上シール
２  左シール
３  右シール
４  底シール
５  ノッチ
６  凹部
６'  凹部
７  凸部
７'  凸部
８  底部分（自立可能な底部）
９  エンボス部
９'  エンボス部
ａ  表シール面
ｂ  裏シール面
Ａ  金型
Ａ'  金型
Ｂ  金型
Ｂ'  金型
Ｈ  ヒートシール部
Ｆ  フィルム
【図１】
2008254747.tif 000003
【図２】
2008254747.tif 000004
【図３】
2008254747.tif 000005
【図４】
2008254747.tif 000006
【図５】
2008254747.tif 000007
【図６】
2008254747.tif 000008
【図７】
2008254747.tif 000009
【図８】
2008254747.tif 000010
【図９】
2008254747.tif 000011
【図１０】
2008254747.tif 000012
【図１１】
2008254747.tif 000013
【図１２】
2008254747.tif 000014
【図１３】
2008254747.tif 000015
【図１４】
2008254747.tif 000016
【図１５】
2008254747.tif 000017
【図１６】
2008254747.tif 000018